(57)【特許請求の範囲】
【請求項１】
浴室に設置され、入浴者のみでなく介護者によっても使用される洗面器用の洗面器置き台において、
上下方向に移動可能な洗面器の載置手段と、浴室の構成部材に取り付けられ、上記載置手段を、この載置手段の左右両端部側の２箇所でのみ位置決めするように支持して、浴室の壁面に沿った種々の上下位置に位置決め可能な支持手段と、上記載置手段上の洗面器に給水できるように、給水手段を昇降させる昇降機構とを備えたことを特徴とする洗面器置き台。
【請求項２】
凹部を有する、浴室の壁面の形成部材に、前記載置手段の左右両端部を着脱自在に支持する左右一対の支持部を、上記凹部内の上下方向に複数対形成して、この壁面の形成部材を前記支持手段としていることを特徴とする請求項１記載の洗面器置き台。
【請求項３】
前記支持手段が、前記載置手段を左右から挟んで、浴室の壁面に沿うように上下方向に配置される左右一対のガイド部材と、このガイド部材に対して昇降自在に取り付けられ、一体的に取り付けられた上記載置手段を所望の上下位置に位置決め可能な昇降部材とから構成されていることを特徴とする請求項１記載の洗面器置き台。
【請求項４】
前記ガイド部材が浴室内の手すりを兼ねていることを特徴とする請求項３記載の洗面器置き台。
【請求項５】
浴室に設置され、入浴者のみでなく介護者によっても使用される洗面器用の洗面器置き台において、
上下方向に移動可能な洗面器の載置手段と、浴室の構成部材に取り付けられ、上記載置手段を、この載置手段の左右両端部側の２箇所でのみ位置決めするように支持して、浴室の壁面に沿った種々の上下位置に位置決め可能な支持手段とを備えるとともに、
浴室の壁面に取り付けられた小物棚の上下方向に複数対形成された、左右一対の一定距離離れた棚部の側端部に、前記載置手段の左右両端部を着脱自在に支持する支持部を形成して、この小物棚を上記支持手段としていることを特徴とする洗面器置き台。
【発明の詳細な説明】
【０００１】
【発明の属する技術分野】
この発明は浴室に設置される洗面器置き台に関するものである。
【０００２】
【従来の技術】
入浴中、洗い場の床面に洗面器を直接置くと使いずらいため、浴室のカウンター部に洗面器置き台を設けたり、独立の洗面器置き台を浴室の床面や壁面に取り付け、洗面器を洗い場の床面より一段高い位置に置けるようにした浴室も多い。
【０００３】
【発明が解決しようとする課題】
しかしながら、入浴時の洗面器の上下位置は、使用している人の体格や年齢によって異なるため、洗面器の上下位置の固定した従来の洗面器置き台では、洗面器が必ずしも使い易い位置に置かれていないという問題があった。
【０００４】
また、介護の必要な老人等を車椅子等を使用して入浴させる場合に、洗面器の上下位置が固定されていると、介護者にとって洗面器が使い易い位置になく、入浴の介護がしずらいという問題もあった。
【０００５】
この発明は、以上の点に鑑み、使用状況や使用者の身体的条件に応じて、洗面器を使い易い位置に置くことができる洗面器置き台を提供することを目的とする。
【０００６】
【課題を解決するための手段】
この発明の請求項１記載の発明は、浴室に設置され、入浴者のみでなく介護者によっても使用される洗面器用の洗面器置き台において、上下方向に移動可能な洗面器の載置手段と、浴室の構成部材に取り付けられ、載置手段を、この載置手段の左右両端部側の２箇所でのみ位置決めするように支持して、浴室の壁面に沿った種々の上下位置に位置決め可能な支持手段と、載置手段上の洗面器に給水できるように、給水手段を昇降させる昇降機構とを備えたことである。
【０００７】
この発明では、入浴時等に洗面器を置く載置手段を支持手段によって種々の上下位置に位置決めできるので、入浴者の身体的条件、例えば身長とか年齢や、介護の状態に合わせて洗面器を使い易い位置に置くことができる。この場合、載置手段は浴室の壁面に沿うように配置されるため、これが入浴時等に邪魔になることもない。また、この発明では、上下動した洗面器の位置に合わせて、昇降機構により給水手段の位置も変えることができるので、洗面器の使い勝手をよくすることができる。
【０００８】
この発明の請求項２記載の発明は、請求項１記載の発明の場合において、凹部を有する、浴室の壁面の形成部材に、載置手段の左右両端部を着脱自在に支持する左右一対の支持部を、凹部内の上下方向に複数対形成して、この壁面の形成部材を支持手段としていることである。
【０００９】
この発明では、浴室の壁面の形成部材が、載置手段を支持する支持手段を兼ねているので、特別な支持手段が不要になる。
【００１０】
この発明の請求項３記載の発明は、請求項１記載の発明の場合において、支持手段が、載置手段を左右から挟んで、浴室の壁面に沿うように上下方向に配置される左右一対のガイド部材と、このガイド部材に対して昇降自在に取り付けられ、一体的に取り付けられた載置手段を所望の上下位置に位置決め可能な昇降部材とから構成されていることである。
【００１１】
この発明では、昇降部材を左右のガイド部材に沿って昇降させた後、これをガイド部材に位置決めすれば、洗面器の載置手段は所望の上下位置に位置決めされる。したがって、載置手段の位置決めが容易になるとともに、洗面器の上下位置もガイド部材の長さの範囲内であれば、自由に選定することができる。
【００１２】
この発明の請求項４記載の発明は、請求項３記載の発明の場合において、ガイド部材が浴室内の手すりを兼ねていることである。
【００１３】
この発明の請求項５記載の発明は、浴室に設置され、入浴者のみでなく介護者によっても使用される洗面器用の洗面器置き台において、上下方向に移動可能な洗面器の載置手段と、浴室の構成部材に取り付けられ、載置手段を、この載置手段の左右両端部側の２箇所でのみ位置決めするように支持して、浴室の壁面に沿った種々の上下位置に位置決め可能な支持手段とを備えるとともに、浴室の壁面に取り付けられた小物棚の上下方向に複数対形成された、左右一対の一定距離離れた棚部の側端部に、載置手段の左右両端部を着脱自在に支持する支持部を形成して、この小物棚を支持手段としていることである。
【００１４】
この発明では、浴室の壁面に取り付けられた小物棚が、載置手段を支持する支持手段を兼ねているので、請求項２記載の発明の場合と同様に、特別な支持手段が不要になる。なお、この発明においても、入浴時等に洗面器を置く載置手段を支持手段によって種々の上下位置に位置決めできるので、入浴者の身体的条件、例えば身長とか年齢や、介護の状態に合わせて洗面器を使い易い位置に置くことができる。この場合、載置手段は浴室の壁面に沿うように配置されるため、これが入浴時等に邪魔になることもない。
【００１５】
【発明の実施の形態】
以下、この発明の実施の形態を図面を参照しつつ説明する。
実施形態１．
図１はこの発明の一実施の形態に係る洗面器置き台を備えた浴室を示している。
【００１６】
この浴室は組立式浴室である浴室ユニットから形成されており、図１で示されるように、防水床パン１０の一方側に浴槽１１が設置され、他方側に洗い場Ａが形成されている。そして、この防水床パン１０の外周部には、壁パネル１２、収納パネル１３、及びドア枠（図示せず）等が取り付けられており、これらの上端には天井パネル（図示せず）が取り付けられている。
【００１７】
収納パネル１３は、浴室の壁面の形成部材としての役割と、カウンターや収納部等の形成部材としての役割を有するものであり、樹脂材等によって壁パネル１２と同一高さに形成された収納パネル本体１３Ａと、この収納パネル本体１３Ａにねじ等によって取り付けられる箱状の収納部１３Ｂとから構成されている。収納パネル本体１３Ａは、正面中央部に後方に窪んだ凹状部１３０が形成されているとともに、この凹状部１３０の下端に前方へ突出する左右幅一杯のカウンター部１３１が形成されている。そして、この収納パネル本体１３Ａには、上部に照明具Ｌが取り付けられているとともに、凹状部１３０の底部に化粧鏡１４が取り付けられ、かつ、凹状部１３０の右方に、昇降機構１６が取り付けられている。収納部１３Ｂは、収納パネル本体１３Ａの凹状部１３０の左方に、上下方向に並ぶように３つのものが取り付けられている。
【００１８】
さて、この収納パネル１３は、洗面器Ｓの載置手段である載置板２０を、所望の上下位置に位置決め支持する支持手段としての機能をも有するものであり、この載置板２０や昇降機構１６とともに洗面器置き台を構成するものである。以下、この洗面器置き台について説明する。
【００１９】
収納パネル本体１３Ａのカウンター部１３１周りは、カウンター部１３１の中央部側上面と凹状部１３０の下端面とを合せれば、洗面器Ｓを充分に置ける広さとなっている。このため、ここに載置板２０の通常の支持部が形成されている。すなわち、カウンター部１３１の中央部側上面には、凹状部１３０の下端面と面一となるように、載置板２０位置決め用の凹部が形成されているとともに、載置板２０の後部側も凹状部１３０の横断面と略同一形状に形成されている。したがって、載置板２０は、前部側下部をカウンター部１３１の凹部に嵌め込み、かつ、後部側を凹状部１３０の下端面上に配置することにより、収納パネル１３Ａのカウンター部１３１周りに着脱容易に取り付けられる。なお、載置板２０の前端側下面には、この載置板２０を着脱するための指掛け用の凹部２００が形成されている。
【００２０】
一方、収納パネル本体１３Ａには、図１で示されるように、凹状部１３０の左右両側面に化粧鏡１４側に突出した上下一対ずつの水平な板状突起１３２が形成され、この板状突起１３２間に、載置板２０を着脱自在な状態で水平に支持する支持溝１３３が形成されている。この支持溝１３３は、載置板２０の他の支持部となるものであり、その上下幅が載置板２０の厚さより僅かに大きく形成され、載置板２０の凹状部１３０内の左右両端を、精度よく位置決めできるようになっている。そして、この支持溝１３３は、例えば、凹状部１３０の上下方向に２段にわたって形成されている。
【００２１】
昇降機構１６は、載置板２０が種々の上下位置に位置決めされた場合でも、この載置板２０上の洗面器Ｓに給水できるように、給水手段であるシャワーヘッド１５を種々の上下位置に位置決めするものである。この昇降機構１６は、収納パネル本体１３Ａに上下方向に向かって取り付けられるコの字形のガイド部材１６０と、このガイド部材１６０に沿って昇降する昇降部材１６１とから構成されている。この昇降部材１６１には、シャワーヘッド１５を着脱自在に支持する支持部１６１ａが設けられているとともに、この昇降部材１６１をガイド部材１６０の所望の位置に位置決め固定する固定ねじ１６１ｂが設けられている。
【００２２】
なお、シャワーヘッド１５は、壁パネル１２に取り付けられた給水部１７に、Ｕ状に垂れたホース１８を介して接続されており、昇降機構１６によって上下方向に自由に移動できるようになっている。また、シャワーヘッド１５の開閉調整と給水の温度調整とは、収納パネル本体１３Ａのカウンター部１３１の前面に取り付けられたハンドル１９Ａ，１９Ｂによって行なわれる。
【００２３】
この浴室では、ハンドル１９Ｂで温度を調整した後、ハンドル１９Ａを開側に回すことにより、シャワーヘッド１５から所望の温度の温水が載置板２０上の洗面器Ｓ内に給水される。したがって、入浴者Ｍはこの洗面器Ｓ内の温水を使用して、タオルを洗ったり、顔を洗ったりしつつ入浴できる。この場合、載置板２０を収納パネル１３のカウンター部１３１側に置き、この載置板２０上の洗面器Ｓを洗い場ＡのイスＴに腰を掛けた入浴者Ｍの腰の位置に配置しているため、洗面器Ｓは入浴者Ｓの使い易い上下位置にあり、入浴者Ｓはこの洗面器Ｓ中の湯を楽に使うことができる。なお、この場合、昇降機構１６のガイド部材１６０は、入浴時の手すりとして使用できる。また、シャンプー等の小物は、下側又は中程の収納部１３Ｂに入れておけば、これらを楽に使用できる。
【００２４】
一方、例えば、介護の必要な老人を車椅子等を使用して入浴させる場合には、入浴者Ｍは車椅子等に着座して、洗い場Ａ内の比較的高い位置に居り、かつ、介護者も立った状態になるため、洗面器Ｓの位置も高い位置にあるほうがよい。この場合、載置板２０を収納パネル１３のカウンター部１３１側から取り外し、これを例えば、図１の鎖線で示されるように、収納パネル１３の下側の支持溝１３３に差し込んで位置決めする。そして、この載置板２０上に置かれる洗面器Ｓにシャワーヘッド１５から給水できるように、昇降機構１６の固定ねじ１６１ｂを緩め、昇降部材１６１をガイド部材１６０に沿って、所定位置まで上昇させ、再び、固定ねじ１６１ｂを締めて、昇降部材１６１をガイド部材１６０に位置決めする。
【００２５】
このことにより、洗面器Ｓを、載置板２０を介して収納パネル１３の凹状部１３０の中程に置くことができ、かつ、この洗面器Ｓにシャワーヘッド１５から自由に給水ができるため、介護者は、この洗面器Ｓ中の温水を使用しつつ、立った楽な姿勢で、入浴者Ｍの体を洗ってやることができる。すなわち、介護者は載置板２０上の洗面器Ｓを楽に使用できる。この場合、載置板２０は、後端が化粧鏡１４近くに達するまで支持溝１３３内に差し込まれるため、この載置板２０の前端がカウンター部１３１より前方に突出することはなく、これが入浴の邪魔になってしまうこともない。なお、シャンプー等の小物は、これを収納パネル１３の中程又は上側の収納部１３Ｂに入れておけば、これらを楽に使用できる。
【００２６】
そして、この入浴者Ｍの入浴が終われば、再び載置板２０を収納パネル１３のカウンター部１３１側に載置しておく。
【００２７】
以上のように、この洗面器置き台では、載置手段である載置板２０をこの支持手段である収納パネル１３の種々の位置に位置決めできるので、洗面器Ｓを通常の使用位置のみでなく、介護の必要な者を入浴させる場合に、介護者が使い易い位置にも置くことができ、洗面器を使用状況に合せて使い易い位置に置くことができる。特に、この洗面器置き台では、浴室ユニットの壁面の形成部材である収納パネル１３が、載置板２０（載置手段）を支持する支持手段を兼ねているので、特別な支持手段が不要になり、支持手段の低コスト化を達成できるとともに、支持手段が浴室内で場所をとらず、浴室内を広く使用することができようになる。そして、収納パネル１３への板状突起１３２等の形成も、この収納パネル１３への他の部分（凹状部１３０や収納部１３Ｂ）の形成時に同時に形成できるので、容易である。
【００２８】
なお、洗面器Ｓをもっと高い位置に置きたい場合には、載置板２０を収納パネル１３の上側の支持溝１３３側に嵌め込むようにすればよい。また、洗面器置き台にシャワーヘッド１５の昇降機構１６を必ずしも備える必要はなく、シャワーヘッド１５を手に持って、上下動した洗面器Ｓ側に移動させるようにしてもよい。
【００２９】
実施形態２．
図２はこの発明の他の実施の形態に係る洗面器置き台を備えた浴室を示している。なお、図１で示したものと同一のもの又はこれらに相当するものには同一符号を付し、その説明を省略する。
【００３０】
この実施の形態では、一対の小物棚２１，２２を、載置板２０を種々の上下位置に位置決めする洗面器置き台の支持手段として使用している。この小物棚２１，２２は、浴室の洗い場Ａ側の壁パネル１２に取り付けられるものであり、壁パネル１２側に窪んだ中央の凹状部に、上下３段の棚部２１０，２２０が設けられている。この棚部２１０，２２０は、棚板２１０ａ，２２０ａの上方にこの棚板２１０ａ，２２０ａの外周に沿うように支持バー２１０ｂ，２２０ｂが設けられたものである。そして、この小物棚２１，２２は、壁パネル１２に取り付けられた矩形状の化粧鏡１４を挟むように一定間隔をおいて配置されており、互いの形状が、この化粧鏡１４に対して左右対称となるように形成されている。この場合、棚板２１０ａ，２２０ａや支持バー２１０ｂ，２２０ｂの化粧鏡１４側の側端部は他方側に比べてやや前方に突出するように形成されている。
【００３１】
載置板２０は、左右両端側に、小物棚２１，２２の支持バー２１０ｂ，２２０ｂに対する係止部２０１を有しており、この小物棚２１，２２の化粧鏡１４側の支持バー２１０ｂ，２２０ｂに着脱自在に支持されている。なお、シャワーヘッド１５の昇降機構１６は、小物棚２１横の壁パネル１２に取り付けられている。また、シャワーヘッド１５用のハンドル１９Ａ，１９Ｂも、例えば、小物棚２１下方の壁パネル１２に取り付けられている。
【００３２】
この洗面器置き台でも、小物棚２１，２２の最下段の棚部２１０，２２０の端部に載置板２０が支持されている場合、この載置板２０上の洗面器Ｓが、洗い場ＡのイスＴに腰を掛けた入浴者Ｍの腰の位置にくるため、入浴者Ｍはこの洗面器Ｓを楽に使うことができる。この場合、シャンプーや石鹸等の小物は小物棚２１，２２の最下段の棚部２１０，２２０上に置いておけば、これらの使用も楽である。
【００３３】
また、車椅子等に乗った介護の必要な者を入浴させる場合、載置板２０を、例えば、小物棚２１，２２の中段の棚部２１０，２２０の側端部に支持させれば、洗面器Ｓを高い位置に保持できるため、介護者はこの洗面器Ｓを楽に使用できる。この場合、シャンプー等の小物は、例えば、載置板２０の位置に合わせた中段の棚部２１０，２２０上に置いておけばよい。そして、この入浴者の入浴が終了すれば、載置板２０を再び下段の棚部２１０，２２０に支持させておく。
【００３４】
以上のように、この洗面器置き台でも、洗面器Ｓの上下位置を変えることができるので、洗面器Ｓを使用状況に合った使い易い位置に置くことができる。また、この洗面器置き台でも、浴室内に備えられる小物棚２１，２２が、載置板２０（載置手段）を支持する支持手段を兼ねているので、特別な支持手段が不要になり、実施形態１の洗面器置き台と同様な効果を得ることができる。特に、この洗面器置き台では、支持手段である小物棚２１，２２に載置板２０支持用の特別な加工が不要であるというメリットを有する。
【００３５】
なお、昇降機構１６を一方の小物棚２１，２２の、載置板２０の邪魔にならない位置に取り付け、シャワーヘッド１５を洗面器Ｓにもっと近づけるようにしてもよい。また、載置板２０を、１個の小物棚の棚部で着脱自在に支持するようにしてもよい。
【００３６】
実施形態３．
図３はこの発明の他の実施の形態に係る洗面器置き台を備えた浴室を示しており、図４はこの洗面器置き台等を拡大して示したものである。なお、図１で示したものと同一のもの又はこれらに相当するものには同一符号を付し、その説明を省略する。
【００３７】
この実施の形態では、洗面器置き台の支持手段を、図３で示されるように、上下方向に配置される一対のガイド部材２３と、このガイド部材２３に昇降自在に取り付けられ、一体的に取り付けられた載置板２０をガイド部材２３に沿った所望の上下位置に位置決め可能な支持部材２４とから構成している。なお、この浴室は洋式のバスルームであり、入浴者Ｍは浴槽１１内で体を洗うとともに、浴槽１１横の洗面空間Ｂにおいて、洗顔や洗髪等を行なうものとする。
【００３８】
ガイド部材２３は、図４で示されるように、コの字形に曲げ加工されたパイプ材から形成されており、浴室の洗面空間Ｂの壁パネル１２に、上下方向に向いた状態で互いに対向するように取り付けられている。この場合、このガイド部材２３間の壁パネル１２には、化粧鏡１４が取り付けられている。支持部材２４は、矩形状の支持枠２４０と、この支持枠２４０の左右両端部に取り付けられ、ガイド部材２３に沿って昇降する昇降部２４１とから構成されている。そして、支持枠２４０には、上部に載置板２０が固定されているとともに、昇降部２４１には、支持部材２４をガイド部材２３の所望の位置に位置決め固定する固定ねじ２４１ａが設けられている。
【００３９】
また、例えば、左側のガイド部材２３は、シャワーヘッド１５の昇降機構１６のガイド部材１６０としての機能をも有するものであり、このガイド部材２３に、支持部１６１ａと固定ねじ１６１ｂとを有した昇降部材１６１が取り付けられている。なお、一対のガイド部材２３は、入浴時の手すりとしての機能も有している。
【００４０】
この浴室では、図３で示されるように、入浴者は洗面空間Ｂ内で立った状態で洗顔や洗髪を行なう。したがって、身長の大小や年令等によって、洗面器Ｓが使い易い位置も異なってくるが、この洗面器置き台では使用者の身長等に合わせて洗面器Ｓの上下位置を調整できる。すなわち、この洗面器置き台では、昇降部２４１の固定ねじ２４１ａを緩め、この昇降部２４１をガイド部材２３に沿って昇降させた後、この固定ねじ２４１ａを締めて昇降部２４１をガイド部材２３に固定することにより、載置板２０を上下動でき、この載置板２０上の洗面器Ｓを使用者にとって最も好ましい上下位置に位置決めできる。すなわち、この洗面器置き台では、洗面器Ｓを入浴者（使用者）の身体的条件に合った使い易い位置に置くことができる。
【００４１】
特に、この洗面器置き台では、洗面器Ｓの上下位置を少しずつ変えることができるので、洗面器Ｓを充分に使い勝手のよい位置に置くことができる。
【００４２】
図５は、洗面器置き台の支持手段を、一本のガイド部材２３と、このガイド部材２３に沿って昇降可能で、昇降部２４１横のブラケット２４２を介して載置板２０を支持する支持部材２４とにより構成している。この洗面器置き台においても、上記洗面器置き台と、同様な効果を得ることができる。なお、この洗面器置き台の場合、シャワーヘッド１５の昇降機構１６を別に設けているが、これを、ガイド部材２３側に設けるようにしてもよい。
【００４３】
図６は、図４で示される洗面器置き台を通常の浴室の洗い場Ａに設けた場合を示している。この場合、ガイド部材２３はＬ形に形成され、その下端が洗い場Ａのカウンター２５上に固定されているとともに、シャワーヘッド１５用の調整ハンドル１９Ａ，１９Ｂもカウンター２５に設けられている。この洗面器置き台においても、入浴者の身体的条件（座高の高低や年令等）により、洗面器Ｓを所望の上下位置に位置決めできる。もちろん、この洗面器置き台では、介護者が洗面器を使用する場合でも、この洗面器を使用状況に合った使い易い位置に位置決めすることができる。なお、符号２６は浴槽１１へ温水を供給する給水栓である。
【００４４】
【発明の効果】
この発明は、以上のように構成されているので、以下に記載されるような効果を奏する。
【００４５】
この発明の請求項１記載の発明によれば、浴室に設置され、入浴者のみでなく介護者によっても使用される洗面器用の洗面器置き台において、上下方向に移動可能な洗面器の載置手段と、浴室の構成部材に取り付けられ、載置手段を、この載置手段の左右両端部側の２箇所で位置決めするように支持して、浴室の壁面に沿った種々の上下位置に位置決め可能な支持手段と、載置手段上の洗面器に給水できるように、給水手段を昇降させる昇降機構とを備えたので、使用状況（介護の状況）や使用者の身体的条件に応じて、洗面器を使い易い上下位置に置くことができるとともに、洗面器への給水が容易となり、洗面器の使い勝手をよくすることができる。
【００４６】
この発明の請求項２記載の発明によれば、請求項１記載の発明の場合において、凹部を有する、浴室の壁面の形成部材に、載置手段の左右両端部を着脱自在に支持する左右一対の支持部を、凹部内の上下方向に複数対形成して、この壁面の形成部材を支持手段としているので、特別な支持手段が不要になった分、洗面器置き台の低コスト化を図ることができるとともに、浴室内を広く利用できるようになる。
【００４７】
この発明の請求項３記載の発明によれば、請求項１記載の発明の場合において、支持手段が、載置手段を左右から挟んで、浴室の壁面に沿うように上下方向に配置される左右一対のガイド部材と、このガイド部材に対して昇降自在に取り付けられ、一体的に取り付けられた載置手段を所望の上下位置に位置決め可能な昇降部材とから構成されているので、載置手段の位置決めが容易となるとともに、洗面器の上下位置の微調整もできるようになる。また、この発明では、昇降部材を介して、載置手段が充分に支持されるので、載置手段上の洗面器を安定させることができる。
【００４８】
この発明の請求項４記載の発明によれば、請求項３記載の発明の場合において、ガイド部材が浴室内の手すりを兼ねているので、特別な手すりが不要となるとともに、その分、浴室内を広く利用できる。
【００４９】
この発明の請求項５記載の発明によれば、浴室に設置され、入浴者のみでなく介護者によっても使用される洗面器用の洗面器置き台において、上下方向に移動可能な洗面器の載置手段と、浴室の構成部材に取り付けられ、載置手段を、この載置手段の左右両端部側の２箇所でのみ位置決めするように支持して、浴室の壁面に沿った種々の上下位置に位置決め可能な支持手段とを備えるとともに、浴室の壁面に取り付けられた小物棚の上下方向に複数対形成された、左右一対の一定距離離れた棚部の側端部に、載置手段の左右両端部を着脱自在に支持する支持部を形成して、この小物棚を支持手段としているので、使用状況（介護の状況）や使用者の身体的条件に応じて、洗面器を使い易い上下位置に置くことができ、かつ、特別な支持手段が不要になった分、洗面器置き台の低コスト化を図ることができるとともに、浴室内を広く利用できるようになる。また、この発明では、載置手段が小物棚により充分に支持されるので、載置手段上の洗面器を安定させることができる。
【図面の簡単な説明】
【図１】この発明の実施形態１に係る洗面器置き台を備えた浴室内の斜視図である。
【図２】この発明の実施形態２に係る洗面器置き台を備えた浴室内の斜視図である。
【図３】この発明の実施形態３に係る洗面器置き台を備えた浴室内の斜視図である。
【図４】この洗面器置き台の拡大した斜視図である。
【図５】実施形態３の第１の変更実施形態に係る洗面器置き台を備えた浴室内の斜視図である。
【図６】実施形態３の第２の変更実施形態に係る洗面器置き台を備えた浴室内の斜視図である。
【符号の説明】
１３    収納パネル（支持手段）
１５    シャワーヘッド
１６    昇降機構
２０    載置板（載置手段）
２１，２２  小物棚（支持手段）
２３    ガイド部材
２４    昇降部材
１３３    支持溝（支持部）
２１０，２２０  棚部（棚）
２１０ｂ，２２０ｂ  支持バー（支持部）
Ｓ    洗面器
【図１】
0003612861.tif 000002
【図２】
0003612861.tif 000003
【図３】
0003612861.tif 000004
【図４】
0003612861.tif 000005
【図５】
0003612861.tif 000006
【図６】
0003612861.tif 000007